(57)【要約】【課題】固形剤を家畜が舐食し易く、よって家畜が固形剤を最初から最後まで略所定量以上で舐食することができ、更に固形剤の補充時期が分り易い家畜用固形剤の給与方法及び給与器を提供する。【解決手段】後面板５２の前側に、矩形形状の固形塩５３の角部が嵌合するＶ字底面５４を有するＶ字形収容部５５を備え、且つＶ字形収容部５５のＶ字底面５４の最下部に水抜き開口５７を備えた給与器本体５１と、給与器本体５１の前記後面板５２を固定部材１２に固定するための固定手段７とを備える。【選択図】　　　　図１
2004033015.tif 000002
【特許請求の範囲】
【請求項１】
矩形形状の固形剤を家畜に舐食させて給与する方法において、Ｖ字底面を有するＶ字空間を形成した給与器に、固形剤の角部がＶ字底面に一致するように挿入し、舐食によって固形剤の残存量が減少してもＶ字底面の形状により家畜が固形剤を容易に舐食できるようにしたことを特徴とする家畜用固形剤の給与方法。
【請求項２】
後面板の前側に、矩形形状の固形剤の角部が嵌合するＶ字底面を有するＶ字形収容部を備え、且つ該Ｖ字形収容部のＶ字底面の最下部に水抜き開口を備えた給与器本体と、該給与器本体の前記後面板を固定部材に固定するための固定手段と、を備えたことを特徴とする家畜用固形剤の給与器。
【請求項３】
前記Ｖ字底面を形成する２面の長さが、固形剤の１つの稜線を挟む２面の長さより長いことを特徴とする請求項２に記載の家畜用固形剤の給与器。
【請求項４】
前記Ｖ字底面を形成する２面の上端に、固形剤の移動を阻止する垂直部を備えていることを特徴とする請求項２又は３記載の家畜用固形剤の給与器。
【請求項５】
前記Ｖ字底面に、固形剤の滑り止め凸部を備えていることを特徴とする請求項２記載の家畜用固形剤の給与器。
【発明の詳細な説明】
【０００１】
【発明の属する技術分野】
本発明は、固形塩及び固形飼料等の固形剤を舐食により家畜に良好に給与するための家畜用固形剤の給与方法及び給与器に関するものである。
【０００２】
【従来の技術】
厩舎又は野外において、長期間にわたり家畜が生理的に自由に舐食できよう固形塩を与えて、塩やミネラル類又は栄養剤を摂取させることは家畜の健康と生産性向上において重要であり、畜産経営上有用な対策である。このため、厩舎や放牧場等において固形塩を舐食させることにより家畜の健康維持に努めることが実施されてきている。
【０００３】
通常、家畜に一定量以上の固形塩を舐食させることによって、家畜の健康維持と生理機能の活性化を図って、より生産性を高めることが要求される。このために、厩舎において、家畜が舐食し易い個所に固形塩を設置しておいて家畜に自由に舐食させることは有効な給与方法であり、このための給与器としては、従来より種々の形状のものが提案されている。例えば実用新案登録第２５３７３１０号にもこの種の給与器が開示されている。
【０００４】
従来から提案されている給与器は、概略図を示す図８のように構成されている。即ち、図８中、１は給与器の給与器本体であり、該給与器本体１は後面板２の前側に、矩形形状の固形塩５を収容するための凹形空間３を有する凹形収容部４を一体に備えている。前記凹形空間３は、水平底面を有する略矩形形状の空間であり、固形塩５の下面が水平底面に接するように挿入することによって固形塩５の略下半部を収容できる大きさを有している。更に、前記凹形空間３の水平底面には所要数の水抜き開口６が形成されている。
【０００５】
給与器本体１の前記後面板２には、厩舎の境に設置される柱等の固定部材１２に給与器本体１を固定するための固定手段７が備えられている。図８の固定手段７は、後面板２に形成した複数の固定孔８と、該固定孔８に通して給与器本体１を厩舎の柱等の固定部材１２に固縛して固定するためのカム部１０を有する結束用タイ９とにより構成されており、上記固定手段７は、給与器本体１における後面板２の上部と下部とに設けられる。結束用タイ９は、一端に開口部１０ａとカム１０ｂとを有するバックル状のカム部１０を備えており、他端（先端）側には長手方向と直交する方向に複数のストッパー突部１１ａを備えたバンド部１１を形成している。そして、バンド部１１の先端を、前記カム部１０の開口部１０ａに通して引っ張ると、前記ストッパー突部１１ａがカム１０ｂに噛み合うことにより強く締付けられて給与器本体１が固定部材１２に固定され、その固定が弛むことがないようになっている。
【０００６】
前記した給与器を厩舎に設置する場合には、牛等の家畜が給与器に収容された固形塩を落下させたり、或いは給与器を破損させるようなことがなく、しかも家畜が自由に舐食できる個所に設置する必要がある。特に牛の場合には給与器等の物体を角で弄ぶ習性があるために、衝撃で固形塩が落下したり、給与器を破損させる等の問題が生じ易い。
【０００７】
このため、従来において給与器を厩舎に設置する場合には、通常は厩舎の牛床と牛床の境に設置される柱の外側（例えば牛の角は届かないが、牛の舌は届く位置）に給与器を設置することが行われている。
【０００８】
【発明が解決しようとする課題】
しかしながら、図８に示したように、厩舎の牛床と牛床の境に設置される柱１２の外側に給与器を設置して家畜に固形塩５を舐食させる際においても、従来の給与器は凹形空間３に固形塩５を収容させる構成を有しているために、次のような問題が生じていた。
【０００９】
即ち、家畜には常に所定量以上の固形塩を給与することが要求されるが、図８に示す給与器のように凹形空間３に固形塩５を収容したものでは、固形塩５の残存量が減少してくると矩形形状である凹形空間３の水平底面の４つの角部Ｃは舐食し難く、このために例えば図９、図１０に示すように矢印方向から家畜が舐食した場合に、固形塩５の残存量が減少してくると凹形空間３の角部Ｃに大きな体積で固形塩５が残ってしまう。
【００１０】
図５は、給与器を用いて５ｋｇの固形塩を舐食させた場合における１頭の家畜が舐食にて摂取する舐食量と固形塩の残存量との関係を表わしており、又、図６は、固形塩の残存量と経過日数との関係を示したものである。従来の給与器では、図５に破線Ｉで示すように、１日の固形塩の舐食量が例えば１日５０ｇであったものが固形塩の残存量が略１ｋｇ前後に減少すると、給与器が舐食し難い形状を有しているために舐食量は急激に低下し、図６に破線Ｉで示すように、給与器内部において直線的に減少していた固形塩の残存する割合が多くなる。従って、最終的にはまだ残存量があるにもかかわらず殆ど舐食量が得られない状態となる。このように、固形塩の残存量の減少に伴い早い時期（残存量が多い状態）から舐食量が急激に低下することにより、常に所定量以上の固形塩を家畜に給与して健康維持と生産性を高めるという初期の目的が達成できなくなり、非常に重要な問題となっていた。
【００１１】
更に重要なことは、畜産家は図９、図１０の状態では給与器内にまだ充分な固形塩が残っていると判断して固形塩５を補充しないことである。即ち、一般の畜産家は家畜個々が実際に摂取する固形塩の量をチェックしているわけではなく、消費されたら新しい固形塩を補充するという方法をとっているために、家畜が舐食できない状態になったままで固形塩が補充されない状態が発生し易く、このために固形塩の舐食量が大幅に不足するという問題が発生する。
【００１２】
従って、家畜が固形塩を最初から残存量が殆どなくなるまでの間、所定量以上を舐食できるようにすることは、家畜の健康維持と生産性を高める上で非常に有効である。
【００１３】
本発明は、上述の実情に鑑みてなしたもので、固形剤を家畜が舐食し易く、よって家畜が固形剤を最初から最後まで略所定量以上で舐食することができ、更に固形剤の補充時期が分り易い家畜用固形剤の給与方法及び給与器を提供することを目的として成したものである。
【００１４】
【課題を解決するための手段】
請求項１記載の発明は、矩形形状の固形剤を家畜に舐食させて給与する方法において、Ｖ字底面を有するＶ字空間を形成した給与器に、固形剤の角部がＶ字底面に一致するように挿入し、舐食によって固形剤の残存量が減少してもＶ字底面の形状により家畜が固形剤を容易に舐食できるようにしたことを特徴とする家畜用固形剤の給与方法、に係るものである。
【００１５】
請求項２記載の発明は、後面板の前側に、矩形形状の固形剤の角部が嵌合するＶ字底面を有するＶ字形収容部を備え、且つ該Ｖ字形収容部のＶ字底面の最下部に水抜き開口を備えた給与器本体と、該給与器本体の前記後面板を固定部材に固定するための固定手段と、を備えたことを特徴とする家畜用固形剤の給与器、に係るものである。
【００１６】
請求項３記載の発明は、前記Ｖ字底面を形成する２面の長さが、固形剤の１つの稜線を挟む２面の長さより長いことを特徴とする請求項２に記載の家畜用固形剤の給与器、に係るものである。
【００１７】
請求項４記載の発明は、前記Ｖ字底面を形成する２面の上端に、固形剤の移動を阻止する垂直部を備えていることを特徴とする請求項２又は３記載の家畜用固形剤の給与器、に係るものである。
【００１８】
請求項５記載の発明は、前記Ｖ字底面に、固形剤の滑り止め凸部を備えていることを特徴とする請求項２記載の家畜用固形剤の給与器、に係るものである。
【００１９】
上記手段によれば、以下のように作用する。
【００２０】
請求項１及び２記載の発明では、給与器に備えたＶ字形収容部のＶ字底面上に固形剤を収容するようにしたので、給与器のＶ字底面が家畜が固形剤を舐食し易い形状となっており、従って家畜は固形剤を最初から最後まで略所定量以上の舐食量で舐食することができ、更に固形剤の舐食終盤では残存量が急激に少なくなることによって固形剤の補充時期が分り易いので、直ちに固形剤を補充することができる。従って、家畜に常に安定した所定量以上の固形剤を舐食させることができるようになり、家畜の健康維持と生産性向上に大きく寄与できる。
【００２１】
請求項３記載の発明では、Ｖ字底面を形成する２面の長さを、固形剤の１つの稜線を挟む２面の長さより長くしたので、固形剤を安定して収容できる。
【００２２】
請求項４記載の発明では、Ｖ字底面を形成する２面の上端に、固形剤の移動を阻止する垂直部を備えているので、この垂直部によりＶ字空間に収容した固形剤が外部に飛び出すのを防止できる。
【００２３】
請求項５記載の発明では、Ｖ字底面に、固形剤の滑り止め凸部を備えているので、この滑り止め凸部によりＶ字空間に収容した固形剤が移動し難くなり、特に残存量が減少した際における固形剤の移動を防止できる。
【００２４】
【発明の実施の形態】
以下、本発明の好適な実施の形態を図面に基づいて説明する。
【００２５】
図１〜図３は、本発明における家畜用固形剤の給与器の形態例を示したものであり、図中５１は給与器本体である。該給与器本体５１は、後面板５２の前側に、矩形形状の固形剤５３（固形塩、固形飼料等）の角部が嵌合するＶ字底面５４を有するＶ字形収容部５５を一体に備えている。上記給与器本体５１は合成樹脂材等にて構成することができる。図２中、５１ａは補強リブであり、補強リブは後面板５２等にも設けることができ、補強リブ５１ａによって給与器本体５１を軽量化して強度を保持することは有効である。又、固形剤５３としては、固形塩及び固形飼料等を用いることができるが、以下の説明では固形塩５３を用いる場合について説明する。
【００２６】
前記Ｖ字形収容部５５は、二等辺三角形のＶ字空間５６を形成しており、このとき、Ｖ字底面５４の２面５４ａ，５４ｂのなす角度は、矩形形状の固形塩５３の角部が合致して嵌合するように略９０゜の角度を有している。更に、前記Ｖ字形収容部５５のＶ字底面５４の最下部には水抜き開口５７が設けられている。この水抜き開口５７の形状、設置数は任意である。
【００２７】
更に、前記給与器本体５１の前記後面板５２を固定部材１２に固定するための固定手段７を備えている。このとき、給与器本体５１の後面板５２の背面には滑り止めのゴム等が装着されていてもよく、更に、給与器本体５１の後面板５２を柱に固定する場合には柱に合致する凹溝を後面板５２の背面に形成してもよい。
【００２８】
尚、固定手段７としては、図８と同一のものを用いることができる。又、後面板５２に孔５８を設け、該孔５８によりボルト等を用いて給与器本体５１を固定するようにしてもよい。
【００２９】
更に、図１、図２の形態では、前記Ｖ字底面５４を形成する２面５４ａ，５４ｂの上下の長さは、固形塩５３の１つの稜線を挟む２面の長さより長くしており、これによりＶ字空間５６に収容した固形塩５３が安定するようにしている。このとき、前記Ｖ字底面５４の２面５４ａ，５４ｂの上下の長さを、例えば図７に示すように充分な長さにしておくことによって、厚みが同じで矩形を形成する面の長さが異なる種々の大きさの固形塩５３を収容させることができる。
【００３０】
又、図１、図２の例では、前記Ｖ字底面５４を形成する２面５４ａ，５４ｂの上端に、固形塩５３の移動を阻止するための上方に短く延びた垂直部５９を備えており、この垂直部５９によりＶ字空間５６に収容した固形塩５３が外部に飛び出すのを防止している。
【００３１】
更に、前記Ｖ字底面５４に、固形塩の滑り止め凸部６０を備えており、この滑り止め凸部６０によりＶ字空間５６に収容した固形塩５３を移動し難くしている。
【００３２】
上記形態例の作用を説明する。
【００３３】
図１、図２に示すように給与器に備えたＶ字底面５４を有するＶ字空間５６に固形塩５３を収容するようにしたので、厩舎の牛床と牛床の境に設置される柱１２の外側に上記給与器を固定して牛に舐食させるとき、Ｖ字空間５６の底部がＶ字底面５４となっているために、固形塩５３の残存量が減少してきても牛は舐食し易く、このために固形塩５３はＶ字底面５４の両端角部に僅かに残るのみで、略最後まで良好に舐食することができる。
【００３４】
しかも、上記したように固形塩５３を最後まで舐食し易いために、図５に実線ＩＩで示すように、固形塩５３の残存量が殆どなくなる直前まで目標値である例えば１日５０ｇの舐食量を略達成することができる。
【００３５】
更に重要なことは、Ｖ字空間５６の底部がＶ字底面５４となっていて牛が舐食し易いために、固形塩５３の舐食の終盤では、固形塩５３の残存量が急激に減少し、このために畜産家は固形塩５３を補充する必要があることを容易に判断できる点である。従って、図４のように固形塩５３の残存量が少なくなると、新たな固形塩５３の補充が直ちに行われるようになるので、固形塩５３の舐食量が急激に減少して、しかも長い期間舐食されないといった問題が防止できる。
【００３６】
上記したように、図１、図２に示した給与器は固形塩５３を家畜が舐食し易い形状を有しており、従って家畜は固形塩５３を最初から最後まで略所定量以上の舐食量で舐食することができ、更に固形塩５３の舐食終盤では残存量が急激に少なくなることによって固形塩５３の補充時期が分り易いので、直ちに、即ち好適な時期に固形塩５３の補充を行うことができる。従って、家畜に常に安定した所定量以上の固形塩を舐食させることができるようになり、家畜の健康維持と生産性向上に大きく寄与できるようになる。
【００３７】
以下に本発明の実施例を説明する。
【００３８】
【実施例】
日本全薬工業（株）製の固形塩「鉱塩Ｅ１００」５ｋｇ規格品を用い、Ａ農家のホルスタイン種泌乳牛１０頭（スタンチョン形式で繋ぎ飼養）を用い、舐食量の比較試験を行った。供試牛を５頭ずつの２群に分け、それぞれ当該発明品及び従来の給与器（図８）を用い、鉱塩Ｅ１００の舐食量の調査を、１０日毎に１２０日目まで実施した。その結果を図５及び図６に実線ＩＩで示した。従来の給与器では、破線Ｉで示すように１２０日後でも完全に舐めきることができず、約１００ｇ程度固形塩の残りが観察されたが、当該発明品を用いた場合、１００日目までに完全に舐めきることができた。そのため、当該本発明品を用いた場合、従来の給与器を用いた場合より略２０日程度早く固形塩を切り替えることが可能となると考えられる。又、従来の給与器に比べて、最後まで一定の舐食量で舐めつづけることが可能であると考えられる。
【００３９】
尚、本発明は上記形態例にのみ限定されるものではなく、本発明の要旨を逸脱しない範囲内において種々変更を加え得ることは勿論である。
【００４０】
【発明の効果】
請求項１及び２記載の発明によれば、給与器に備えたＶ字形収容部のＶ字底面上に固形剤を収容するようにしたので、給与器のＶ字底面が家畜が固形剤を舐食し易い形状となっており、従って家畜は固形剤を最初から最後まで略所定量以上の舐食量で舐食することができ、更に固形剤の舐食終盤では残存量が急激に少なくなることによって固形剤の補充時期が分り易いので、直ちに固形剤を補充することができる。従って、家畜に常に安定した所定量以上の固形剤を舐食させることができるようになり、家畜の健康維持と生産性向上に大きく寄与できるという優れた効果を奏し得る。
【００４１】
請求項３記載の発明によれば、Ｖ字底面を形成する２面の長さを、固形剤の１つの稜線を挟む２面の長さより長くしたので、固形剤を安定して収容できる効果がある。
【００４２】
請求項４記載の発明によれば、Ｖ字底面を形成する２面の上端に、固形剤の移動を阻止する垂直部を備えているので、この垂直部によりＶ字空間に収容した固形剤が外部に飛び出すのを防止できる効果がある。
【００４３】
請求項５記載の発明によれば、Ｖ字底面に、固形剤の滑り止め凸部を備えているので、この滑り止め凸部によりＶ字空間に収容した固形剤が移動し難くなり、特に残存量が減少した際における固形剤の移動を防止できる効果がある。
【図面の簡単な説明】
【図１】本発明に係る家畜用固形剤の給与器の形態例を示す斜視図である。
【図２】図１の給与器の正面図である。
【図３】図２のＩＩＩ−ＩＩＩ方向矢視図である。
【図４】本発明において固形剤を舐食させた際の終盤において給与器の底部に固形剤が残った状態を示す平面図である。
【図５】本発明の給与器と従来の給与器を用いて実施した試験の、牛一頭あたりの平均舐食量と固形塩の残存量（平均値）との関係を示した線図である。
【図６】図５の試験において、固形塩の残存量（平均値）と経過日数との関係を示した線図である。
【図７】本発明に係る家畜用固形剤の給与器の他の形態例を示す正面図である。
【図８】従来の給与器の一例を示す斜視図である。
【図９】従来の給与器において固形剤を舐食させた際の終盤において給与器の底部に固形剤が残った状態を示す切断正面図である。
【図１０】図９の平面図である。
【符号の説明】
７　　固定手段
１２　　固定部材（柱）
５１　　給与器本体
５２　　後面板
５３　　固形塩（固形剤）
５４　　Ｖ字底面
５４ａ，５４ｂ　　面
５６　Ｖ字空間
５５　　Ｖ字形収容部
５７　　水抜き開口
５９　　垂直部
６０　　滑り止め凸部
【図１】
2004033015.tif 000003
【図２】
2004033015.tif 000004
【図３】
2004033015.tif 000005
【図４】
2004033015.tif 000006
【図５】
2004033015.tif 000007
【図６】
2004033015.tif 000008
【図７】
2004033015.tif 000009
【図８】
2004033015.tif 000010
【図９】
2004033015.tif 000011
【図１０】
2004033015.tif 000012